(57)【要約】【課題】棚部に対する手すり部の取り付け位置を容易に調整することができる棚一体型手すりを提供する。【解決手段】壁面に取り付けられる棚部と、前記棚部の上面及び前記壁面に取り付けられる手すり部と、を備え、前記棚部は、前記上面に嵌合部を有し、前記手すり部は、前記嵌合部と嵌合する被嵌合部を有し、前記被嵌合部は、前記手すり部の下端において、前記下端の中心軸から偏心した位置に設けられていることを特徴とする棚一体型手すり。【選択図】図３
2019176898.tif 000002
【特許請求の範囲】
【請求項１】
壁面に取り付けられる棚部と、
前記棚部の上面及び前記壁面に取り付けられる手すり部と、
を備え、
前記棚部は、前記上面に嵌合部を有し、
前記手すり部は、前記嵌合部と嵌合する被嵌合部を有し、
前記被嵌合部は、前記手すり部の下端において、前記下端の中心軸から偏心した位置に設けられていることを特徴とする棚一体型手すり。
【請求項２】
前記手すり部は、
本体部と、
前記本体部の下端に取り付けられる取り付け部と、
をさらに有し、
前記被嵌合部は、前記取り付け部の下端に設けられていることを特徴とする請求項１記載の棚一体型手すり。
【請求項３】
前記取り付け部は、前記本体部に対して回転可能であることを特徴とする請求項２記載の棚一体型手すり。
【請求項４】
前記棚部は、
前記上面の一端から下方に延びる第１側面と、
前記上面の他端から下方に延びる第２側面と、
を有し、
前記棚部は、前記第１側面を前記壁面に対向させる第１取り付け状態と、前記第２側面を前記壁面に対向させる第２取り付け状態と、を選択可能であることを特徴とする請求項１〜３のいずれか１つに記載の棚一体型手すり。
【発明の詳細な説明】
【技術分野】
【０００１】
本発明の態様は、一般的に、棚一体型手すりに関する。
【背景技術】
【０００２】
トイレでの立ち座り動作を補助する手すりとして、棚一体型手すりがある（特許文献１）。棚一体型手すりは、棚部と手すり部とが一体となった手すりで、棚部を飾り棚や肘掛けとして利用できるとともに、手すり部を立ち座りの動作補助の手すりとして利用することができる。また、棚部の下方には、紙巻器や収納ボックスを設けることができる。
【先行技術文献】
【特許文献】
【０００３】
【特許文献１】特開２００１−２１２０３３号公報
【発明の概要】
【発明が解決しようとする課題】
【０００４】
ここで、トイレ室の壁面のデザインや材質等によって、手すり部を取り付ける壁面が棚部を取り付ける壁面よりも突出している場合や、手すり部を取り付ける壁面が棚部を取り付ける壁面よりも後退している場合がある。通常、棚部に対する手すり部の取り付け位置は決まっているため、このような場合には、手すり部と壁面との間、あるいは、棚部と壁面との間に隙間ができてしまう恐れがある。これを解決する手段として、施工現場で棚部に手すり部を取り付けるための加工を行うことや、手すり部と壁面との間、あるいは、棚部と壁面との間に緩衝部材を設けることが考えられる。しかし、これらの手段では、現場での施工の手間が増加したり、部材追加分のコストが増加したりするという問題がある。
【０００５】
本発明は、かかる課題の認識に基づいてなされたものであり、棚部に対する手すり部の取り付け位置を容易に調整することができる棚一体型手すりを提供することを目的とする。
【課題を解決するための手段】
【０００６】
第１の発明は、壁面に取り付けられる棚部と、前記棚部の上面及び前記壁面に取り付けられる手すり部と、を備え、前記棚部は、前記上面に嵌合部を有し、前記手すり部は、前記嵌合部と嵌合する被嵌合部を有し、前記被嵌合部は、前記手すり部の下端において、前記下端の中心軸から偏心した位置に設けられていることを特徴とする棚一体型手すりである。
【０００７】
この棚一体型手すりによれば、棚部の上面に設けられた嵌合部と、手すり部の下端に設けられた被嵌合部と、を嵌合することで、棚部に対し手すり部を取り付けることができる。また、被嵌合部が手すり部の下端の中心軸から偏心した位置に設けられているため、例えば、手すり部の下端を上下方向を軸に回転させることで、嵌合部に対する被嵌合部の位置を変えることができる。これにより、棚部に対する手すり部の取り付け位置を容易に調整することができる。
【０００８】
第２の発明は、第１の発明において、前記手すり部は、本体部と、前記本体部の下端に取り付けられる取り付け部と、をさらに有し、前記被嵌合部は、前記取り付け部の下端に設けられていることを特徴とする棚一体型手すりである。
【０００９】
この棚一体型手すりによれば、下端に被嵌合部が設けられた取り付け部を本体部に取り付けるだけで、棚部に対する手すり部の取り付け位置を容易に調整することができる。また、手すり部の下端の中心軸に対する被嵌合部の位置を変更するだけで、壁面と本体部との間の距離を容易に調整することができる。
【００１０】
第３の発明は、第２の発明において、前記取り付け部は、前記本体部に対して回転可能であることを特徴とする棚一体型手すりである。
【００１１】
この棚一体型手すりによれば、取り付け部を本体部に対して回転させることで、取り付け部の下端に設けられた被嵌合部の位置を調整することができる。これにより、棚部に対する手すり部の取り付け位置を容易に微調整することができる。
【００１２】
第４の発明は、第１〜第３のいずれか１つの発明において、前記棚部は、前記上面の一端から下方に延びる第１側面と、前記上面の他端から下方に延びる第２側面と、を有し、前記棚部は、前記第１側面を前記壁面に対向させる第１取り付け状態と、前記第２側面を前記壁面に対向させる第２取り付け状態と、を選択可能であることを特徴とする棚一体型手すりである。
【００１３】
この棚一体型手すりによれば、棚部を壁面に取り付ける際に、壁面に対向させる面を第１側面及び第２側面から選択することができる。これにより、トイレ室の左右の壁面のいずれに棚部を取り付ける場合にも、１つの棚部で対応することができる。また、例えば、嵌合部が棚部の中心に位置していない場合にも、上記のように被嵌合部の位置を変えることで、棚部に対する手すり部の取り付け位置を容易に調整することができる。これにより、トイレの左右の壁面のいずれに棚部を取り付ける場合にも、１つの手すり部で対応することができる。
【発明の効果】
【００１４】
本発明の態様によれば、棚部に対する手すり部の取り付け位置を容易に調整することができる棚一体型手すりが提供される。
【図面の簡単な説明】
【００１５】
【図１】実施形態に係る棚一体型手すりを模式的に表す斜視図である。
【図２】図２（ａ）及び図２（ｂ）は、実施形態に係る棚一体型手すりの一部を模式的に表す分解斜視図及び断面図である。
【図３】図３（ａ）及び図３（ｂ）は、実施形態に係る棚一体型手すりの手すり部を模式的に表す斜視図である。
【図４】図４（ａ）〜図４（ｄ）は、実施形態に係る棚一体型手すりを模式的に表す側面図及び断面図である。
【図５】実施形態に係る棚一体型手すりの一部を模式的に表す断面図である。
【図６】図６（ａ）及び図６（ｂ）は、実施形態に係る棚一体型手すりを模式的に表す側面図及び断面図である。
【図７】図７（ａ）及び図７（ｂ）は、実施形態に係る棚一体型手すりを模式的に表す側面図及び断面図である。
【図８】実施形態に係る棚一体型手すりの変形例の一部を模式的に表す断面図である。
【発明を実施するための形態】
【００１６】
以下、実施形態について図面を参照しつつ説明する。なお、各図面中、同様の構成要素には同一の符号を付して詳細な説明は適宜省略する。  
図１は、実施形態に係る棚一体型手すりを模式的に表す斜視図である。  
図２（ａ）及び図２（ｂ）は、実施形態に係る棚一体型手すりの一部を模式的に表す分解斜視図及び断面図である。  
図２（ｂ）は、図１に示すＡ１−Ａ２線による断面図である。  
図３（ａ）及び図３（ｂ）は、実施形態に係る棚一体型手すりの手すり部を模式的に表す斜視図である。
【００１７】
図１、図２（ａ）、図２（ｂ）、図３（ａ）、及び図３（ｂ）に表すように、棚一体型手すり１０は、壁面ＷＬに取り付けられた棚部２０と、一端が壁面ＷＬに取り付けられ、他端が棚部２０に取り付けられた手すり部３０と、棚部２０の下に取り付けられた紙巻器４０及び収納ボックス５０と、を備える。棚一体型手すり１０は、例えば、トイレ室の壁面ＷＬに取り付けられる。
【００１８】
本願明細書においては、壁面ＷＬに取り付けられた棚一体型手すり１０に向き合う使用者からみて手前側を「前方」とし、奥側を「後方」とし、上側を「上方」とし、下側を「下方」とし、右側を「右側方」とし、左側を「左側方」とする。
【００１９】
棚部２０は、壁面ＷＬに取り付けられる。棚部２０は、前後方向及び左右方向に拡がる板状の部材であり、上面２０ａを有する。なお、この例では、前後方向が短手方向であり、左右方向が長手方向である。上面２０ａは、略水平であり、上面２０ａの上には、物品を載置可能である。棚部２０は、例えばネジ止め等により壁面ＷＬに固定される。
【００２０】
棚部２０は、上面２０ａの一端から下方に延びる第１側面２０ｂと、上面２０ａの他端から下方に延びる第２側面２０ｃと、を有する。棚部２０は、第１側面２０ｂ及び第２側面２０ｃの少なくとも一方を壁面ＷＬに対向させて取り付け可能である。棚部２０は、例えば、第１側面２０ｂを壁面ＷＬに対向させる第１取り付け状態と、第２側面２０ｃを壁面ＷＬに対向させる第２取り付け状態と、を選択可能であってもよい。この例では、棚部２０は、第１取り付け状態で壁面ＷＬに取り付けられている。
【００２１】
棚部２０の上面２０ａには、嵌合部２２が設けられている。嵌合部２２は、後述の手すり部３０の被嵌合部３４と嵌合する部分である。この例では、嵌合部２２は、上下方向に貫通する略円柱状の孔である。嵌合部２２の形状は、略円柱状に限定されず、任意の形状にすることができる。
【００２２】
嵌合部２２は、例えば、棚部２０の前後方向の中央に設けられる。換言すれば、例えば、嵌合部２２の中心から棚部２０の後端（第１側面２０ｂ）までの距離Ｄ１は、嵌合部２２の中心から棚部２０の前端（第２側面２０ｃ）までの距離Ｄ２と、実質的に同じである。嵌合部２２は、例えば、棚部２０の前後方向の中央よりも前方側（第２側面２０ｃ側）に設けられてもよい。換言すれば、距離Ｄ１は、距離Ｄ２よりも長くてもよい。嵌合部２２は、例えば、棚部２０の前後方向の中央よりも後方側（第１側面２０ｂ側）に設けられてもよい。換言すれば、距離Ｄ２は、距離Ｄ１よりも長くてもよい。
【００２３】
嵌合部２２は、例えば、棚部２０の左右方向の中央よりも便器側に設けられる。この例では、嵌合部２２は、棚部２０の右側方側の端部に設けられている。嵌合部２２の左右方向の位置は、例えば、便器に対する手すり部３０の位置に応じて決めることができる。
【００２４】
また、この例では、嵌合部２２の周囲に、後述の手すり部３０の取り付け部３３を固定するための４つのネジ穴２４が設けられている。ネジ穴２４の数は、４つに限定されず、任意の数とすることができる。なお、ネジ穴２４は、必要に応じて設けられ、省略可能である。例えば、手すり部３０に取り付け部３３を設けない場合は、ネジ穴２４を省略してもよい。
【００２５】
手すり部３０は、棚部２０の上方に設けられる。手すり部３０の一端は、壁面ＷＬに取り付けられる。手すり部３０の他端は、棚部２０の上面２０ａに取り付けられる。手すり部３０は、本体部３１と、本体部３１の上端に取り付けられる固定部３２と、本体部３１の下端に取り付けられる取り付け部３３と、手すり部３０の下端に設けられる被嵌合部３４と、を有する。
【００２６】
本体部３１は、例えば、上下方向に延びる部材である。本体部３１は、例えば、略鉛直方向に延びる。使用者は、本体部３１を掴むことで、手すり部３０を使用することができる。本体部３１は、例えば、略円柱状の部材である。本体部３１は、略円柱状の部材に限定されず、例えば、角柱状の部材などであってもよい。
【００２７】
固定部３２は、本体部３１の上端に取り付けられる部材である。固定部３２は、本体部３１の上端から後方に延びており、固定部３２の後端は、壁面ＷＬに固定される。これにより、手すり部３０の一端は、壁面ＷＬに固定される。固定部３２は、本体部３１に対して、上下方向を軸に回転可能に取り付けられていてもよい。
【００２８】
取り付け部３３は、本体部３１の下端に取り付けられる部材である。取り付け部３３は、例えば、本体部３１に対して上下方向を軸に回転可能に取り付けられる。取り付け部３３は、本体部３１の下端を覆う底面部３３ａと、底面部３３ａの外縁から上方に延びる上延部３３ｂと、を有する。また、この例では、取り付け部３３の底面部３３ａの下端に被嵌合部３４が設けられている。
【００２９】
底面部３３ａは、本体部３１の下端を覆う部分である。底面部３３ａの形状は、例えば、本体部３１の下端の形状と実質的に同じである。この例では、本体部３１の下端が円状であるため、底面部３３ａの形状も円状である。
【００３０】
上延部３３ｂは、底面部３３ａの外縁（この例では、円周）から上方に延びる部分である。上延部３３ｂは、本体部３１の側面の下端を覆う。本体部３１の下端部は、底面部３３ａ及び上延部３３ｂにより形成される凹部に嵌合する。上延部３３ｂにより、底面部３３ａが本体部３１の下端を覆った状態が維持される。
【００３１】
底面部３３ａには、取り付け部３３を棚部２０の上面２０ａに固定するためのネジ穴３３ｃが設けられている。この例では、２つのネジ穴３３ｃが設けられている。ネジ穴３３ｃの数は、２つに限定されず、１つでもよいし、３つ以上でもよい。また、この例では、底面部３３ａに、被嵌合部３４の内部（ネジ穴３４ａ）に通じるネジ穴３３ｄが設けられている。
【００３２】
被嵌合部３４は、手すり部３０の下端に設けられる。この例では、被嵌合部３４は、取り付け部３３の底面部３３ａの下端に設けられている。被嵌合部３４は、上記の棚部２０の嵌合部２２と嵌合する部分である。この例では、被嵌合部３４は、下方に延びる略円柱状の突起である。被嵌合部３４の形状が略円柱状であれば、被嵌合部３４の位置が変わった場合にも、被嵌合部３４と嵌合部２２とを嵌合させやすい。被嵌合部３４の形状は、略円柱状に限定されず、嵌合部２２と嵌合可能な任意の形状でよい。
【００３３】
また、この例では、被嵌合部３４には、被嵌合部３４の内部を上下方向に貫通するネジ穴３４ａが設けられている。ネジ穴３４ａは、取り付け部３３の底面部３３ａに設けられたネジ穴３３ｄに通じている。ネジ穴３４ａ及びネジ穴３３ｄには、ネジ６０が設けられており、これにより、取り付け部３３と本体部３１とが固定されている。
【００３４】
被嵌合部３４は、手すり部３０の下端の中心軸ＣＬ１から偏心した位置に設けられる。換言すれば、被嵌合部３４の中心軸ＣＬ２は、手すり部３０の下端の中心軸ＣＬ１とは異なる位置にある。また、この例では、手すり部３０の下端の中心軸ＣＬ１は、取り付け部３３の底面部３３ａの中心軸と実質的に同じ位置にある。つまり、被嵌合部３４は、取り付け部３３の底面部３３ａの中心軸から偏心した位置に設けられている。被嵌合部３４は、例えば、手すり部３０の下端の中心軸ＣＬ１から３ｍｍ以上１０ｍｍ以下程度（例えば、５ｍｍ程度）離れた位置に設けられる。
【００３５】
このように、被嵌合部３４を取り付け部３３の下端に設けることで、本体部３１に取り付け部３３を取り付けるだけで、棚部２０に対する手すり部３０の取り付け位置を容易に調整することができる。また、手すり部３０の下端の中心軸ＣＬ１に対する被嵌合部３４の位置を変更するだけで、壁面ＷＬと本体部３１との間の距離を容易に調整することができる。
【００３６】
なお、この例では、手すり部３０は取り付け部３３を有し、被嵌合部３４は取り付け部３３の下端に設けられているが、例えば、手すり部３０に取り付け部３３を設けずに、本体部３１の下端に被嵌合部３４を設けてもよい。換言すれば、被嵌合部３４は、本体部３１と一体で構成されていてもよい。この場合も、被嵌合部３４は、本体部３１の下端の中心軸から偏心した位置に設けられる。
【００３７】
紙巻器４０は、棚部２０の下方に設けられている。紙巻器４０には、トイレットペーパＴＰを取り付けることができる。この例では、左右方向に並んで２つの紙巻器４０が設けられている。紙巻器４０は、必要に応じて設けられ、省略可能である。
【００３８】
収納ボックス５０は、棚部２０の下方に設けられている。この例では、紙巻器４０の左側方側に収納ボックス５０が設けられている。収納ボックス５０は、内部に収納空間を有しており、この収納空間に物品を収納することができる。収納ボックス５０は、必要に応じて設けられ、省略可能である。
【００３９】
図４（ａ）〜図４（ｄ）は、実施形態に係る棚一体型手すりを模式的に表す側面図及び断面図である。  
図４（ａ）及び図４（ｃ）は、棚一体型手すり１０を右側方側から見た側面図である。  
図４（ｂ）は、図４（ａ）に示すＢ１−Ｂ２線による断面図である。なお、図４（ｄ）における手すり部３０の位置を破線で示す。  
図４（ｄ）は、図４（ｃ）に示すＣ１−Ｃ２線による断面図である。なお、図４（ｂ）における手すり部３０の位置を破線で示す。  
図５は、実施形態に係る棚一体型手すりの一部を模式的に表す断面図である。
【００４０】
図４（ａ）に示す例では、手すり部３０の固定部３２を取り付ける壁面ＷＬ１と、棚部２０を取り付ける壁面ＷＬ２と、が略面一である。つまり、本体部３１の上部と壁面ＷＬ１との間の距離Ｄ３は、本体部３１の下部と壁面ＷＬ２との間の距離Ｄ４と、実質的に同じである。一方、図４（ｃ）に示す例では、棚部２０を取り付ける壁面ＷＬ２が、手すり部３０の固定部３２を取り付ける壁面ＷＬ１よりも後方側に後退している。つまり、本体部３１の下部と壁面ＷＬ２との間の距離Ｄ５は、本体部３１の上部と壁面ＷＬ１との間の距離Ｄ３よりも長い。距離Ｄ５と距離Ｄ３との差分を距離Ｄ６とする。
【００４１】
図４（ｃ）において、棚部２０は、距離Ｄ６の分だけ壁面ＷＬ１から後退した壁面ＷＬ２に取り付けられる。従って、棚部２０の嵌合部２２は、図４（ａ）における嵌合部２２の位置よりも、距離Ｄ６の分だけ後方側に位置する。従って、図４（ａ）における嵌合部２２に嵌合する位置に被嵌合部３４が設けられている手すり部３０をそのまま図４（ｃ）の例に適用しようとすると、被嵌合部３４と嵌合部２２とを嵌合させることができない。あるいは、被嵌合部３４と嵌合部２２とを嵌合させた場合には、棚部２０と壁面ＷＬ２との間に隙間ができてしまう。
【００４２】
これに対し、実施形態においては、被嵌合部３４を手すり部３０の下端の中心軸から偏心した位置に設けている。これにより、例えば、図４（ｂ）に示すように、被嵌合部３４を手すり部３０の下端の中心軸よりも前方側（第２側面２０ｃ側）に寄せた（前寄り）位置にすることができるとともに、図４（ｄ）に示すように、被嵌合部３４を手すり部３０の下端の中心軸よりも後方側（第１側面２０ｂ側）に寄せた（後ろ寄り）位置にすることができる。換言すれば、本体部３１の上部と壁面ＷＬ１との間の距離Ｄ３を変えずに、手すり部３０の下端（取り付け部３３の底面部３３ａ）の中心軸に対する被嵌合部３４の前後方向の位置を変えることができる。
【００４３】
これにより、例えば、棚部２０の嵌合部２２が図４（ａ）の位置にある場合には、図４（ｂ）に示すように被嵌合部３４を前寄りの位置にし、棚部２０の嵌合部２２が図４（ｃ）の位置にある場合には、図４（ｄ）に示すように被嵌合部３４を後ろ寄りの位置にすることで、いずれの位置にある嵌合部２２にも被嵌合部３４を嵌合させることができる。このように、実施形態によれば、手すり部３０に対する嵌合部２２の位置が異なる場合にも、手すり部３０の下端の中心軸に対する被嵌合部３４の位置を変えることで、嵌合部２２と被嵌合部３４とを嵌合させることができる。従って、棚部２０に対する手すり部３０の取り付け位置を容易に調整することができる。
【００４４】
なお、図４（ｃ）及び図４（ｄ）においては、壁面ＷＬ２が壁面ＷＬ１よりも後方側に後退している（つまり、壁面ＷＬ１が壁面ＷＬ２よりも前方側に突出している）例を挙げて説明したが、壁面ＷＬ２が壁面ＷＬ１よりも前方側に突出している（つまり、壁面ＷＬ１が壁面ＷＬ２よりも後方側に後退している）場合にも、上記と同様にして、手すり部３０の下端の中心軸に対する被嵌合部３４の位置を変えることで、嵌合部２２と被嵌合部３４とを嵌合させることができる。従って、棚部２０に対する手すり部３０の取り付け位置を容易に調整することができる。
【００４５】
実施形態において、手すり部３０の下端の中心軸に対する被嵌合部３４の位置は、例えば、取り付け部３３を本体部３１に対して上下方向を軸に回転させることで、変えることができる。例えば、取り付け部３３を本体部３１に対して１８０度回転させることで、被嵌合部３４の位置を、図４（ｂ）に示すような前寄りの位置から、図４（ｄ）に示すような後ろ寄りの位置に変えることができる。また、例えば、取り付け部３３を本体部３１に対して４５度程度回転させることで、被嵌合部３４の位置を、図５に示すような位置にすることもできる。このように、取り付け部３３が本体部３１に対して回転可能であれば、被嵌合部３４の位置を微調整することができる。従って、棚部２０に対する手すり部３０の取り付け位置を容易に微調整することができる。
【００４６】
以上説明したように、実施形態によれば、棚部２０に対する手すり部３０の取り付け位置を容易に調整することができる。これにより、手すり部３０を取り付ける壁面ＷＬ１が棚部２０を取り付ける壁面ＷＬ２よりも突出している場合や、手すり部３０を取り付ける壁面ＷＬ１が棚部２０を取り付ける壁面ＷＬ２よりも後退している場合において、手すり部３０と壁面ＷＬ１との間、あるいは、棚部２０と壁面ＷＬ２との間に隙間が生じることを抑制できる。また、実施形態によれば、施工現場で棚部２０に手すり部３０を取り付けるための加工を行ったり、手すり部３０と壁面ＷＬ１との間、あるいは、棚部２０と壁面ＷＬ２との間に緩衝部材を設けたりする必要がないため、現場での施工の手間が増加したり、部材追加分のコストが増加することを抑制できる。
【００４７】
ここで、棚一体型手すり１０の壁面ＷＬへの取り付け方の一例について説明する。  
まず、棚部２０の上面２０ａを上にして、棚部２０の第１側面２０ｂまたは第２側面２０ｃを壁面ＷＬに取り付ける。棚部２０は、例えば、ネジ止め等により壁面ＷＬに固定することができる。
【００４８】
次に、棚部２０に対する手すり部３０の取り付け位置を決める。手すり部３０の本体部３１の上端に固定部３２、下端に取り付け部３３を取り付けた状態で、棚部２０に対する手すり部３０の位置合わせをする。なお、取り付け部３３は、取り付け位置を調整する際に動かすため、この時点では本体部３１に対して固定されていない。一方、固定部３２は、この時点で本体部３１に対して固定されていてもよい。例えば、固定部３２を壁面ＷＬに当接させた状態で、取り付け部３３を本体部３１に対して上下方向を軸に回転させ、被嵌合部３４が棚部２０の嵌合部２２に嵌合する位置に合わせることで、位置合わせを行うことができる。
【００４９】
次に、手すり部３０の本体部３１及び固定部３２を取り外し、位置合わせを行った位置で、取り付け部３３を棚部２０の上面２０ａに固定する。このとき、例えば、棚部２０の上面２０ａに設けられたネジ穴２４と、取り付け部３３に設けられたネジ穴３３ｃと、を上下方向に貫通するように、取り付け部３３の上方から下方に向かってネジ止めをする。これにより、取り付け部３３が棚部２０の上面２０ａに固定される。
【００５０】
次に、棚部２０の上面２０ａに固定された取り付け部３３に、固定部３２が取り付けられた本体部３１を取り付け、固定部３２をネジ止め等により壁面ＷＬに固定する。これにより、手すり部３０の一端が、壁面ＷＬに固定される。また、被嵌合部３４に設けられたネジ穴３４ａの下方から上方に向かってネジ６０でネジ止めをする。これにより、本体部３１が取り付け部３３に固定され、本体部３１が間接的に棚部２０に固定される。つまり、手すり部３０の他端が、棚部２０の上面２０ａに固定される。なお、固定部３２の壁面ＷＬへの固定と、本体部３１の取り付け部３３への固定と、はいずれを先に行ってもよい。
【００５１】
この後、必要に応じて、紙巻器４０及び収納ボックス５０を棚部２０の下に取り付ける。紙巻器４０及び収納ボックス５０の棚部２０への取り付けは、棚部２０の壁面ＷＬへの取り付け前に行ってもよいし、棚部２０を壁面ＷＬに取り付けた後、手すり部３０を棚部２０に取り付ける前に行ってもよい。以上により、棚一体型手すり１０が壁面ＷＬに取り付けられる。
【００５２】
なお、被嵌合部３４が本体部３１と一体で構成されている場合には、棚部２０を壁面ＷＬに取り付けた後、棚部２０の嵌合部２２と手すり部３０の被嵌合部３４とを嵌合させる。そして、本体部３１を被嵌合部３４を軸に回転させるとともに、固定部３２を本体部３１に対して上下方向を軸に回転させ、固定部３２が壁面ＷＬに当接する位置に本体部３１及び固定部３２の位置を合わせる。そして、この状態で、固定部３２を本体部３１に対して固定する。また、固定部３２を壁面ＷＬに固定するとともに、本体部３１（被嵌合部３４）を棚部２０に対して固定する。また、必要に応じて、紙巻器４０及び収納ボックス５０を棚部２０の下に取り付けてもよい。以上により、棚一体型手すり１０が壁面ＷＬに取り付けられる。
【００５３】
図６（ａ）及び図６（ｂ）は、実施形態に係る棚一体型手すりを模式的に表す側面図及び断面図である。  
図７（ａ）及び図７（ｂ）は、実施形態に係る棚一体型手すりを模式的に表す側面図及び断面図である。  
図６（ａ）及び図７（ａ）は、棚一体型手すり１０をトイレ装置５の後方側から見た側面図である。  
図６（ｂ）は、図６（ａ）に示すＥ１−Ｅ２線による断面図である。  
図７（ｂ）は、図７（ａ）に示すＦ１−Ｆ２線による断面図である。
【００５４】
図６（ａ）に示す例では、棚一体型手すり１０は、トイレ装置５に着座した使用者から見て、右側の壁面ＷＬＲに設けられている。棚部２０は、第１側面２０ｂをトイレ室の右側の壁面ＷＬＲに対向させる第１取り付け状態で取り付けられている。一方、図７（ａ）に示す例では、棚一体型手すり１０は、トイレ装置５に着座した使用者から見て、左側の壁面ＷＬＬに設けられている。棚部２０は、第２側面２０ｃをトイレ室の左側の壁面ＷＬＬに対向させる第２取り付け状態で取り付けられている。
【００５５】
このように、棚部２０は、第１側面２０ｂを右側の壁面ＷＬＲに対向させる第１取り付け状態と、第２側面２０ｃを左側の壁面ＷＬＬに対向させる第２取り付け状態と、を選択可能である。これにより、トイレ室の右側の壁面ＷＬＲ及び左側の壁面ＷＬＬのいずれに棚部２０を取り付ける場合にも、１つの棚部２０で対応することができる。
【００５６】
また、図６（ａ）に示す例では、図６（ｂ）に示すように、本体部３１の中心軸は、棚部２０の前後方向の中央よりも第１側面２０ｂ側に設けられている。一方、図７（ａ）に示す例では、図７（ｂ）に示すように、本体部３１の中心軸は、棚部２０の前後方向の中央よりも第２側面２０ｃ側に設けられている。図６（ｂ）における本体部３１の中心軸と壁面ＷＬＲとの間の距離Ｄ７と、図７（ｂ）における本体部３１の中心軸と壁面ＷＬＬとの間の距離Ｄ８と、は実質的に同じである。換言すれば、第１取り付け状態と第２取り付け状態とで、本体部３１の中心軸と壁面との間の距離は同じである。
【００５７】
このように、実施形態においては、本体部３１の中心軸が棚部２０の中心に位置していない場合にも、被嵌合部３４の位置を変えることによって、壁面に対する本体部３１の位置を変えずに、棚部２０に手すり部３０を取り付けることができる。これにより、トイレ室の右側の壁面ＷＬＲ及び左側の壁面ＷＬＬのいずれに棚部２０を取り付ける場合にも、１つの手すり部３０で対応することができる。また、トイレ室の右側の壁面ＷＬＲ及び左側の壁面ＷＬＬのいずれに棚部２０を取り付ける場合にも、手すり部３０を壁面に近づけて設けることができる。つまり、棚部２０の手すり部３０からの前出を長くとることができ、物品を載置可能な面を広くすることができる。
【００５８】
図８は、実施形態に係る棚一体型手すりの変形例の一部を模式的に表す断面図である。
図８に示す変形例において、棚部２０の上面２０ａに設けられた嵌合部２２は、上方に延びる略円柱状の突起である。また、手すり部３０の下端に設けられた被嵌合部３４は、上方向に窪む略円柱状の穴である。嵌合部２２の突起は、被嵌合部３４の穴に嵌合している。また、棚部２０と手すり部３０とは、手すり部３０の下端から嵌合部２２及び被嵌合部３４を上方向に貫通するネジ６０によって固定されている。この変形例においても、被嵌合部３４は、手すり部３０の下端の中心軸に対して偏心した位置に設けられている。
【００５９】
手すり部３０の下端に設けられる穴の数は、１つでもよいし、２つ以上でもよい。複数の穴を設ける場合は、そのうちの１つを嵌合部２２と嵌合する被嵌合部３４とする。
【００６０】
このような変形例の棚一体型手すり１０を取り付ける際には、例えば、棚部２０を壁面ＷＬに取り付けた後、嵌合部２２と被嵌合部３４とを嵌合させる。そして、本体部３１を被嵌合部３４を軸に回転させるとともに、固定部３２を本体部３１に対して上下方向を軸に回転させ、固定部３２が壁面ＷＬに当接する位置に本体部３１及び固定部３２を合わせる。そして、この状態で、固定部３２を本体部３１に対して固定する。また、固定部３２を壁面ＷＬに固定するとともに、本体部３１（被嵌合部３４）を棚部２０に対して固定する。また、必要に応じて、紙巻器４０及び収納ボックス５０を棚部２０の下に取り付けてもよい。以上により、棚一体型手すり１０が壁面ＷＬに取り付けられる。
【００６１】
このように、棚部２０の上面２０ａに設けられる嵌合部２２と、手すり部３０の下端に設けられる被嵌合部３４と、は嵌合可能であればよく、嵌合部２２及び被嵌合部３４のいずれが凸部であってもよい。
【００６２】
この変形例においても、棚部２０に対する手すり部３０の取り付け位置を容易に調整することができる棚一体型手すり１０を提供することができる。
【００６３】
以上、本発明の実施形態について説明した。しかし、本発明はこれらの記述に限定されるものではない。前述の実施形態に関して、当業者が適宜設計変更を加えたものも、本発明の特徴を備えている限り、本発明の範囲に包含される。例えば、棚一体型手すりなどが備える各要素の形状、寸法、材質、配置などは、例示したものに限定されるわけではなく適宜変更することができる。  
また、前述した各実施形態が備える各要素は、技術的に可能な限りにおいて組み合わせることができ、これらを組み合わせたものも本発明の特徴を含む限り本発明の範囲に包含される。
【符号の説明】
【００６４】
５ トイレ装置、  １０ 棚一体型手すり、  ２０ 棚部、  ２０ａ 上面、  ２０ｂ 第１側面、  ２０ｃ 第２側面、  ２２ 嵌合部、  ２４ ネジ穴、  ３０ 手すり部、  ３１ 本体部、  ３２ 固定部、  ３３ 取り付け部、  ３３ａ 底面部、  ３３ｂ 上延部、  ３３ｃ ネジ穴、  ３３ｄ ネジ穴、  ３４ 被嵌合部、  ３４ ネジ穴、  ４０ 紙巻器、  ５０ 収納ボックス、  ６０ ネジ、  ＣＬ１、ＣＬ２ 中心軸、  Ｄ１〜Ｄ８ 距離、  ＴＰ トイレットペーパ、  ＷＬ、ＷＬ１、ＷＬ２、ＷＬＬ、ＷＬＲ 壁面
【図１】
2019176898.tif 000003
【図２】
2019176898.tif 000004
【図３】
2019176898.tif 000005
【図４】
2019176898.tif 000006
【図５】
2019176898.tif 000007
【図６】
2019176898.tif 000008
【図７】
2019176898.tif 000009
【図８】
2019176898.tif 000010